(57)【要約】【課題】  第１ルーム用の映像処理部を第２ルーム用に兼用する。【解決手段】  ＡＶアンプは、ユーザ操作によって、第２ルームディプレイに出力する映像信号に映像処理を実行する指示が入力された場合、設定手段によって許可するよう設定されているか否かを判断する。設定手段によって許可するよう設定されていると判断された場合、第１ルームディスプレイに出力する映像信号が映像処理部を経由せず、第２ルームディスプレイに出力する映像信号が映像処理部において映像処理されるように映像信号の出力経路を切換える。設定手段によって許可しないよう設定されていると判断された場合、第２ルームディスプレイに出力する映像信号が映像処理部において映像処理されるように映像信号の出力経路を切換えない。【選択図】図１１
2013017133.tif 000002
【特許請求の範囲】
【請求項１】
セレクタが割り当てられる複数の映像入力端子と、
第１ルームに配置される第１ルームディスプレイに映像信号を出力する、及び／又は、第２ルームに配置される第２ルームディスプレイに映像信号を出力する、映像出力端子と、
前記第１ルームディスプレイに出力する映像信号、又は、前記第２ルームディスプレイに出力する映像信号に対して映像処理を実行する映像処理部と、
前記第２ルームディプレイに出力する映像信号が前記映像処理部において映像処理されることを許可するか否かをユーザ操作に応じて設定する設定手段と、
ユーザ操作によって、前記第２ルームディプレイに出力する映像信号に映像処理を実行する指示が入力された場合、前記設定手段によって許可するよう設定されているか否かを判断する判断手段と、
前記設定手段によって許可するよう設定されていると判断された場合、前記第１ルームディスプレイに出力する映像信号が前記映像処理部を経由せず、前記第２ルームディスプレイに出力する映像信号が前記映像処理部において映像処理されるように映像信号の出力経路を切換え、前記設定手段によって許可しないよう設定されていると判断された場合、映像信号の出力経路を切換えない切換制御手段とを備える、映像処理装置。
【請求項２】
セレクタが割り当てられる複数の映像入力端子と、
第１ルームに配置される第１ルームディスプレイに映像信号を出力する、及び／又は、第２ルームに配置される第２ルームディスプレイに映像信号を出力する、映像出力端子と、
前記第１ルームディスプレイに出力するＯＳＤ画面、又は、前記第２ルームディスプレイに出力するＯＳＤ画面を生成する映像処理部と、
前記第２ルームディプレイ用のＯＳＤ画面を前記映像処理部に生成させることを許可するか否かをユーザ操作に応じて設定する設定手段と、
ユーザ操作によって、前記第２ルームディプレイにＯＳＤ画面を表示する指示が入力された場合、前記設定手段によって許可するよう設定されているか否かを判断する判断手段と、
前記設定手段によって許可するよう設定されていると判断された場合、前記第１ルームディスプレイに出力する映像信号が前記映像処理部を経由せず、前記第２ルームディプレイ用のＯＳＤ画面を前記映像処理部に生成させ、前記第２ルームディスプレイに出力されるように映像信号の出力経路を切換え、前記設定手段によって許可しないよう設定されていると判断された場合、映像信号の出力経路を切換えない切換制御手段とを備える、映像処理装置。
【請求項３】
セレクタが割り当てられる複数の映像入力端子と、
第１ルームに配置される第１ルームディスプレイに映像信号を出力する、及び／又は、第２ルームに配置される第２ルームディスプレイに映像信号を出力する、映像出力端子と、
前記第１ルームディスプレイに出力する映像信号、又は、前記第２ルームディスプレイに出力する映像信号に対して映像処理を実行する映像処理部と、
ユーザ操作によって、前記第２ルームディプレイに出力する映像信号に映像処理を実行する指示が入力された場合、前記第１ルームディスプレイに出力する映像信号が前記映像処理部を経由しているか否かを判断する判断手段と、
前記第１ルームディスプレイに出力する映像信号が前記映像処理部を経由していないと判断された場合、前記第２ルームディスプレイに出力する映像信号が前記映像処理部において映像処理されるように映像信号の出力経路を切換え、前記第１ルームディスプレイに出力する映像信号が前記映像処理部を経由していると判断された場合、映像信号の出力経路を切換えない切換制御手段とを備える、映像処理装置。
【請求項４】
セレクタが割り当てられる複数の映像入力端子と、
第１ルームに配置される第１ルームディスプレイに映像信号を出力する、及び／又は、第２ルームに配置される第２ルームディスプレイに映像信号を出力する、映像出力端子と、
前記第１ルームディスプレイに出力するＯＳＤ画面、又は、前記第２ルームディスプレイに出力するＯＳＤ画面を生成する映像処理部と、
ユーザ操作によって、前記第２ルームディプレイにＯＳＤ画面を表示する指示が入力された場合、前記第１ルームディスプレイに出力する映像信号が前記映像処理部を経由しているか否かを判断する判断手段と、
前記第１ルームディスプレイに出力する映像信号が前記映像処理部を経由していないと判断された場合、前記第２ルームディプレイ用のＯＳＤ画面を前記映像処理部に生成させ、前記第２ルームディスプレイに出力されるように映像信号の出力経路を切換え、前記第１ルームディスプレイに出力する映像信号が前記映像処理部を経由していると判断された場合、映像信号の出力経路を切換えない切換制御手段とを備える、映像処理装置。
【請求項５】
セレクタが割り当てられる複数の映像入力端子と、
第１ルームに配置される第１ルームディスプレイに映像信号を出力する、及び／又は、第２ルームに配置される第２ルームディスプレイに映像信号を出力する、映像出力端子と、
前記第１ルームディスプレイに出力する映像信号に対して映像処理を実行する、前記第１ルームディスプレイに出力するＯＳＤ画面を生成する、又は、前記第２ルームディスプレイに出力するＯＳＤ画面を生成する映像処理部と、
前記第２ルームディプレイ用のＯＳＤ画面を前記映像処理部に生成させることを許可するか否かをユーザ操作に応じて設定する設定手段と、
前記設定手段によって許可するよう設定されている場合に、前記第１ルームディスプレイに出力する映像信号に対して前記映像処理部が映像処理を実行することを禁止する禁止手段と、
前記第１ルームディプレイにＯＳＤ画面を表示する指示が入力された場合、前記第１ルームディプレイ用のＯＳＤ画面を前記映像処理部に生成させ、前記第１ルームディスプレイに出力されるように映像信号の出力経路を切換え、前記第２ルームディプレイにＯＳＤ画面を表示する指示が入力された場合、前記第２ルームディプレイ用のＯＳＤ画面を前記映像処理部に生成させ、前記第２ルームディスプレイに出力されるように映像信号の出力経路を切換える切換制御手段とを備える、映像処理装置。
【請求項６】
請求項１〜５のいずれかに記載の映像処理装置の各手段をコンピュータに実行させる、映像処理プログラム。
【発明の詳細な説明】
【技術分野】
【０００１】
本発明は、第１ルームおよび第２ルームに映像信号を出力する映像処理装置に関する。
【背景技術】
【０００２】
ＡＶアンプは、メインルームに配置されるメインスピーカーに対して音声信号を供給し、メインルームに配置されるメインディスプレイに映像信号を供給する。メインスピーカーに供給する音声信号を選択するため、および、メインディスプレイに供給する映像信号を選択するために、メインルーム用セレクタがユーザ操作によって選択される。また、ＡＶアンプは、ＺＯＮＥ２ルームに配置されるＺＯＮＥ２スピーカーに音声信号を供給する。ＺＯＮＥ２スピーカーに供給する音声信号を選択するために、ＺＯＮＥ２ルーム用のセレクタがユーザ操作によって選択される。
【０００３】
しかし、従来のＡＶアンプには、ＺＯＮＥ２ルームに配置されるＺＯＮＥ２ディスプレイに映像信号を供給する機能を備えていないものが大半である。従来のＡＶアンプにおいてＺＯＮＥ２ディスプレイに映像信号を供給する機能を搭載する場合、メインディスプレイに出力する映像信号の出力経路および入出力端子の他に、別途、ＺＯＮＥ２ディスプレイに出力する映像信号の出力経路および入出力端子を設ける必要があるので、ハードウェア構成が複雑になり、コストが増大するという問題が生じる。
【先行技術文献】
【特許文献】
【０００４】
【特許文献１】特開２００４―５６４１８号公報
【発明の概要】
【発明が解決しようとする課題】
【０００５】
本発明は上記従来の課題を解決するためになされたものであり、その目的は、第２ルームディスプレイに出力する映像信号に対する映像処理部を、第１ルームディスプレイに出力する映像信号に対する映像処理部と兼用する映像処理装置を提供することである。
【課題を解決するための手段】
【０００６】
本発明の好ましい実施形態による映像処理装置は、セレクタが割り当てられる複数の映像入力端子と、第１ルームに配置される第１ルームディスプレイに映像信号を出力する、及び／又は、第２ルームに配置される第２ルームディスプレイに映像信号を出力する、映像出力端子と、前記第１ルームディスプレイに出力する映像信号、又は、前記第２ルームディスプレイに出力する映像信号に対して映像処理を実行する映像処理部と、前記第２ルームディプレイに出力する映像信号が前記映像処理部において映像処理されることを許可するか否かをユーザ操作に応じて設定する設定手段と、ユーザ操作によって、前記第２ルームディプレイに出力する映像信号に映像処理を実行する指示が入力された場合、前記設定手段によって許可するよう設定されているか否かを判断する判断手段と、前記設定手段によって許可するよう設定されていると判断された場合、前記第１ルームディスプレイに出力する映像信号が前記映像処理部を経由せず、前記第２ルームディスプレイに出力する映像信号が前記映像処理部において映像処理されるように映像信号の出力経路を切換え、前記設定手段によって許可しないよう設定されていると判断された場合、映像信号の出力経路を切換えない切換制御部とを備える。
【０００７】
本実施形態においては、ユーザ操作によって、第２ルームディプレイに出力する映像信号に映像処理を実行する指示が入力された場合、設定手段によって許可するよう設定されているか否かが判断される。設定手段によって許可するよう設定されていると判断された場合、第１ルームディスプレイに出力する映像信号が映像処理部を経由せず、第２ルームディスプレイに出力する映像信号が映像処理部において映像処理されるように映像信号の出力経路を切換える。従って、本実施形態によると、第１ルームに出力する映像信号に映像処理を実行する映像処理部を、第２ルームに出力する映像信号に映像処理を実行する映像処理部として兼用することができる。
【０００８】
本発明の別の好ましい実施形態による映像処理装置は、セレクタが割り当てられる複数の映像入力端子と、第１ルームに配置される第１ルームディスプレイに映像信号を出力する、及び／又は、第２ルームに配置される第２ルームディスプレイに映像信号を出力する、映像出力端子と、前記第１ルームディスプレイに出力するＯＳＤ画面、又は、前記第２ルームディスプレイに出力するＯＳＤ画面を生成する映像処理部と、前記第２ルームディプレイ用のＯＳＤ画面を前記映像処理部に生成させることを許可するか否かをユーザ操作に応じて設定する設定手段と、ユーザ操作によって、前記第２ルームディプレイにＯＳＤ画面を表示する指示が入力された場合、前記設定手段によって許可するよう設定されているか否かを判断する判断手段と、前記設定手段によって許可するよう設定されていると判断された場合、前記第１ルームディスプレイに出力する映像信号が前記映像処理部を経由せず、前記第２ルームディプレイ用のＯＳＤ画面を前記映像処理部に生成させ、前記第２ルームディスプレイに出力されるように映像信号の出力経路を切換え、前記設定手段によって許可しないよう設定されていると判断された場合、映像信号の出力経路を切換えない切換制御手段とを備える。
【０００９】
本実施形態においては、ユーザ操作によって、第２ルームディプレイにＯＳＤ画面を表示する指示が入力された場合、設定手段によって許可するよう設定されているか否かが判断される。設定手段によって許可するよう設定されていると判断された場合、第１ルームディスプレイに出力する映像信号が映像処理部を経由せず、第２ルームディプレイ用のＯＳＤ画面を映像処理部に生成させ、第２ルームディスプレイに出力されるように映像信号の出力経路を切換える。従って、本実施形態によると、第１ルームに出力する映像信号に映像処理を実行する映像処理部を、第２ルームに出力するＯＳＤ信号に生成する映像処理部として兼用することができる。
【００１０】
本発明の別の好ましい実施形態による映像処理装置は、セレクタが割り当てられる複数の映像入力端子と、第１ルームに配置される第１ルームディスプレイに映像信号を出力する、及び／又は、第２ルームに配置される第２ルームディスプレイに映像信号を出力する、映像出力端子と、前記第１ルームディスプレイに出力する映像信号、又は、前記第２ルームディスプレイに出力する映像信号に対して映像処理を実行する映像処理部と、ユーザ操作によって、前記第２ルームディプレイに出力する映像信号に映像処理を実行する指示が入力された場合、前記第１ルームディスプレイに出力する映像信号が前記映像処理部を経由しているか否かを判断する判断手段と、前記第１ルームディスプレイに出力する映像信号が前記映像処理部を経由していないと判断された場合、前記第２ルームディスプレイに出力する映像信号が前記映像処理部において映像処理されるように映像信号の出力経路を切換え、前記第１ルームディスプレイに出力する映像信号が前記映像処理部を経由していると判断された場合、映像信号の出力経路を切換えない切換制御手段とを備える。
【００１１】
ユーザ操作によって、第２ルームディプレイに出力する映像信号に映像処理を実行する指示が入力された場合、第１ルームディスプレイに出力する映像信号が映像処理部を経由しているか否かが判断される。第１ルームディスプレイに出力する映像信号が映像処理部を経由していないと判断された場合、第２ルームディスプレイに出力する映像信号が映像処理部において映像処理されるように映像信号の出力経路を切換える。従って、本実施形態によると、第１ルームに出力する映像信号に映像処理を実行する映像処理部を、第２ルームに出力する映像信号に映像処理を実行する映像処理部として兼用することができる。
【００１２】
本発明の別の好ましい実施形態による映像処理装置は、セレクタが割り当てられる複数の映像入力端子と、第１ルームに配置される第１ルームディスプレイに映像信号を出力する、及び／又は、第２ルームに配置される第２ルームディスプレイに映像信号を出力する、映像出力端子と、前記第１ルームディスプレイに出力するＯＳＤ画面、又は、前記第２ルームディスプレイに出力するＯＳＤ画面を生成する映像処理部と、ユーザ操作によって、前記第２ルームディプレイにＯＳＤ画面を表示する指示が入力された場合、前記第１ルームディスプレイに出力する映像信号が前記映像処理部を経由しているか否かを判断する判断手段と、前記第１ルームディスプレイに出力する映像信号が前記映像処理部を経由していないと判断された場合、前記第２ルームディプレイ用のＯＳＤ画面を前記映像処理部に生成させ、前記第２ルームディスプレイに出力されるように映像信号の出力経路を切換え、前記第１ルームディスプレイに出力する映像信号が前記映像処理部を経由していると判断された場合、映像信号の出力経路を切換えない切換制御手段とを備える。
【００１３】
第２ルームディプレイにＯＳＤ画面を表示する指示が入力された場合、第１ルームディスプレイに出力する映像信号が映像処理部を経由しているか否かが判断される。第１ルームディスプレイに出力する映像信号が映像処理部を経由していないと判断された場合、第２ルームディプレイ用のＯＳＤ画面を映像処理部に生成させ、第２ルームディスプレイに出力されるように映像信号の出力経路を切換える。従って、本実施形態によると、第１ルームに出力する映像信号に映像処理を実行する映像処理部を、第２ルームに出力するＯＳＤ信号に生成する映像処理部として兼用することができる。
【００１４】
本発明の別の好ましい実施形態による映像処理装置は、セレクタが割り当てられる複数の映像入力端子と、第１ルームに配置される第１ルームディスプレイに映像信号を出力する、及び／又は、第２ルームに配置される第２ルームディスプレイに映像信号を出力する、映像出力端子と、前記第１ルームディスプレイに出力する映像信号に対して映像処理を実行する、前記第１ルームディスプレイに出力するＯＳＤ画面を生成する、又は、前記第２ルームディスプレイに出力するＯＳＤ画面を生成する映像処理部と、前記第２ルームディプレイ用のＯＳＤ画面を前記映像処理部に生成させることを許可するか否かをユーザ操作に応じて設定する設定手段と、前記設定手段によって許可するよう設定されている場合に、前記第１ルームディスプレイに出力する映像信号に対して前記映像処理部が映像処理を実行することを禁止する禁止手段と、前記第１ルームディプレイにＯＳＤ画面を表示する指示が入力された場合、前記第１ルームディプレイ用のＯＳＤ画面を前記映像処理部に生成させ、前記第１ルームディスプレイに出力されるように映像信号の出力経路を切換え、前記第２ルームディプレイにＯＳＤ画面を表示する指示が入力された場合、前記第２ルームディプレイ用のＯＳＤ画面を前記映像処理部に生成させ、前記第２ルームディスプレイに出力されるように映像信号の出力経路を切換える切換制御手段とを備える。
【００１５】
第２ルームディプレイ用のＯＳＤ画面を前記映像処理部に生成させることが許可されている場合、第１ルームディスプレイに出力する映像信号に対して映像処理部が映像処理を実行することが禁止される。従って、第２ルームディプレイにＯＳＤ画面を表示する指示が入力された場合、第２ルームディプレイ用のＯＳＤ画面を映像処理部に生成させることができる。
【発明の効果】
【００１６】
第２ルームディスプレイに出力する映像信号に対する映像処理部を、第１ルームディスプレイに出力する映像信号に対する映像処理部と兼用する映像処理装置を提供することができる。
【図面の簡単な説明】
【００１７】
【図１】本発明の好ましい実施形態によるＡＶアンプ１の構成を示すブロック図である。
【図２】音声入力端子とセレクタとの関係を示す図である。
【図３】Ｓビデオ入力端子とセレクタとの関係を示す図である。
【図４】ＨＤＭＩ入力端子とセレクタとの関係を示す図である。
【図５】コンポーネント入力端子とセレクタとの関係を示す図である。
【図６】Ｓビデオ連動の設定内容を示す図である。
【図７】コンポーネント連動の設定内容を示す図である。
【図８】ＡＶアンプ１の制御部の処理を示すフローチャートである。
【図９】ＡＶアンプ１の制御部の処理を示すフローチャートである。
【図１０】ＡＶアンプ１の制御部の処理を示すフローチャートである。
【図１１】ＡＶアンプ１の制御部の処理を示すフローチャートである。
【図１２】ＡＶアンプ１の制御部の処理を示すフローチャートである。
【図１３】ＡＶアンプ１の制御部の処理を示すフローチャートである。
【図１４】ＡＶアンプ１の制御部の処理を示すフローチャートである。
【図１５】ＡＶアンプ１の制御部の処理を示すフローチャートである。
【図１６】ＡＶアンプ１の制御部の処理を示すフローチャートである。
【図１７】ＡＶアンプ１の制御部の処理を示すフローチャートである。
【発明を実施するための形態】
【００１８】
以下、本発明の好ましい実施形態によるＡＶアンプ（音声処理装置）について、図面を参照して具体的に説明するが、本発明はこれらの実施形態には限定されない。図１は、ＡＶアンプ１を示す概略ブロック図である。
【００１９】
ＡＶアンプ１、ＢＤプレーヤ１００Ａ、ＤＶＤプレーヤ１００Ｂ、ゲーム機１００Ｃ、ポータブルプレーヤ１００Ｄ、メインスピーカー２００Ａ、メインディスプレイ３００Ａは、メインルーム（第１ルーム）に配置されている。ＺＯＮＥ２スピーカー２００Ｂ、ＺＯＮＥ２ディスプレイ３００Ｂは、ＺＯＮＥ２ルーム（第２ルーム）に配置されている。なお、ＡＶアンプ１では、ＺＯＮＥ３ルームやＺＯＮＥ４ルームといったさらなるサブルームに音声や映像を出力することができるが、説明を簡単化するためにＺＯＮＥ２ルームに対する構成のみを説明する。
【００２０】
ＡＶアンプ１は、音声入力端子（特に限定されないが例えばアナログ音声入力端子）ＩＮａ１、ＩＮａ２、ＩＮａ３、ＵＳＢ端子ＩＮｕｓｂを備える。ＡＶアンプ１は、映像入力端子として、Ｓビデオ（またはコンポジット）入力端子ＩＮｖｓ１、ＩＮｖｓ２、ＩＮｖｓ３、ＨＤＭＩ入力端子ＩＮｖｈ１、ＩＮｖｈ２、ＩＮｖｈ３、コンポーネント入力端子ＩＮｖｃ１、ＩＮｖｃ２、ＩＮｖｃ３を備える。
【００２１】
ＡＶアンプ１には、コンテンツ再生装置であるＢＤプレーヤ１００Ａ、ＤＶＤプレーヤ１００Ｂ、ゲーム機１００Ｃ、ポータブルプレーヤ１００Ｄが接続されている。ＢＤプレーヤ１００Ａの音声出力端子は、例えば、音声入力端子ＩＮａ１に接続され、その映像出力端子は、例えば、ＨＤＭＩ入力端子ＩＮｖｈ１に接続されている。ＤＶＤプレーヤ１００Ｂの音声出力端子は、音声入力端子ＩＮａ２に接続され、その映像出力端子はＳビデオ入力端子ＩＮｖｓ２に接続されている。ゲーム機１００Ｃの音声出力端子は、例えば、音声入力端子ＩＮａ３に接続され、その映像出力端子は、例えば、コンポーネント入力端子ＩＮｖｃ３に接続されている。
【００２２】
ＡＶアンプ１は、（メイン用）スピーカー出力端子ＯＵＴａ１、（ＺＯＮＥ２用）スピーカー出力端子ＯＵＴａ２を備える。ＡＶアンプ１は、映像出力端子として、Ｓビデオ（又はコンポジット）出力端子ＯＵＴｖｓ、ＨＤＭＩ出力端子ＯＵＴｖｈ、コンポーネント出力端子ＯＵＴｖｃを備える。これら映像出力端子は、元々、メインディスプレイ用の映像出力端子であるが、本実施形態においては、ＺＯＮＥ２用の映像出力端子として兼用する。
【００２３】
メインスピーカー２００Ａは、スピーカー出力端子ＯＵＴａ１に接続されている。特に限定されないが、メインスピーカーは、５．１チャンネル（例えば、前方左音声信号ＦＬ、前方右音声信号ＦＲ、中央音声信号Ｃ、サラウンド左音声信号ＳＬ、サラウンド右音声信号ＳＲ、サブウーファ音声信号ＳＷ）分または７．１チャンネル分のスピーカーを含む。メインディスプレイ３００Ａは、例えば、ＨＤＭＩ出力端子ＯＵＴｖｈに接続されている。ＺＯＮＥ２スピーカー２００Ｂは、スピーカー出力端子ＯＵＴａ２に接続されている。特に限定されないが、ＺＯＮＥ２スピーカーは、２チャンネル（例えば、前方左音声信号ＦＬ、前方右音声信号ＦＲ）分のスピーカーを含む。ＺＯＮＥ２ディスプレイ３００Ｂは、例えば、コンポーネント出力端子ＯＵＴｖｃに接続されている。
【００２４】
ＡＶアンプ１は、（メイン用）音声切換部２と、増幅部３と、（ＺＯＮＥ２用）音声切換部４と、増幅部５と、ＵＳＢホストコントローラ６と、ＤＡコンバータ７と、Ｓビデオ切換部８と、ＡＤコンバータ９と、スイッチ１０ａ、１０ｂと、ＤＡコンバータ１１と、ＨＤＭＩ切換部（ＨＤＭＩ受信部）１２と、スイッチ１３と、ＶＳＰ（映像信号処理装置）１４と、スイッチ１５と、ＨＤＭＩ送信部（以下、ＴＸという。）１６と、コンポーネント切換部１７と、ＡＤコンバータ１８と、スイッチ１９、２０と、ＤＡコンバータ２１と、制御部２２と、メモリ（ＲＯＭ、ＲＡＭ、フラッシュメモリなど）２３と、表示部２４と、操作部２５とを概略備えている。符号８〜２１の構成は、元々メインディスプレイ３００Ａ用の映像出力経路であるが、本実施形態においては、ＺＯＮＥ２ディスプレイ３００Ｂ用の映像出力経路として兼用する。
【００２５】
図２に示すように、各音声入力端子ＩＮａ１〜ＩＮａ３は、各セレクタに割り当てられている。音声入力端子ＩＮａ１はＢＤセレクタに割り当てられ、音声入力端子ＩＮａ２はＤＶＤセレクタに割り当てられ、音声入力端子ＩＮａ３はゲームセレクタに割り当てられている。メインルームのセレクタとしてＢＤセレクタが選択されると、メインスピーカー２００Ａへの音声出力経路として、ＢＤセレクタに割り当てられている音声入力端子ＩＮａ１が選択される。ＺＯＮＥ２ルームのセレクタとしてゲームセレクタが選択されると、ＺＯＮＥ２スピーカー２００Ｂへの音声出力経路として、ゲームセレクタに割り当てられている音声入力端子ＩＮａ３が選択される。なお、セレクタの割当ては、ユーザ操作によって任意に変更および設定可能である。その他にも、例えば、ＵＳＢセレクタが存在し、ＵＳＢ端子ＩＮｕｓｂがＵＳＢセレクタに割り当てられている。
【００２６】
図３に示すように、各Ｓビデオ入力端子ＩＮｖｓ１〜ＩＮｖｓ３は、各セレクタに割り当てられている。Ｓビデオ入力端子ＩＮｖｓ１はＢＤセレクタに割り当てられ、Ｓビデオ入力端子ＩＮｖｓ２はＤＶＤセレクタに割り当てられ、Ｓビデオ入力端子ＩＮｖｓ３はゲームセレクタに割り当てられている。メインルームのセレクタとしてＢＤセレクタが選択されると、メインディスプレイ３００Ａへの映像出力経路として、ＢＤセレクタに割り当てられているＳビデオ入力端子ＩＮｖｓ１が選択される。ＺＯＮＥ２ルームのセレクタとしてゲームセレクタが選択されると、ＺＯＮＥ２ディスプレイ３００Ｂへの映像出力経路として、ゲームセレクタに割り当てられているＳビデオ入力端子ＩＮｖｓ３が選択される。なお、セレクタの割当ては、ユーザ操作によって任意に変更および設定可能である。
【００２７】
図４に示すように、各ＨＤＭＩ入力端子ＩＮｖｈ１〜ＩＮｖｈ３は、各セレクタに割り当てられている。ＨＤＭＩ入力端子ＩＮｖｈ１はＢＤセレクタに割り当てられ、ＨＤＭＩ入力端子ＩＮｖｈ２はＤＶＤセレクタに割り当てられ、ＨＤＭＩ入力端子ＩＮｖｈ３はゲームセレクタに割り当てられている。メインルームのセレクタとしてＢＤセレクタが選択されると、メインディスプレイ３００Ａへの映像出力経路として、ＢＤセレクタに割り当てられているＨＤＭＩ入力端子ＩＮｖｈ１が選択される。なお、セレクタの割当ては、ユーザ操作によって任意に変更および設定可能である。
【００２８】
図５に示すように、各コンポーネント入力端子ＩＮｖｃ１〜ＩＮｖｃ３は、各セレクタに割り当てられている。コンポーネント入力端子ＩＮｖｃ１はＢＤセレクタに割り当てられ、コンポーネント入力端子ＩＮｖｃ２はＤＶＤセレクタに割り当てられ、コンポーネント入力端子ＩＮｖｃ３はゲームセレクタに割り当てられている。メインルームのセレクタとしてＢＤセレクタが選択されると、メインディスプレイ３００Ａへの映像出力経路として、ＢＤセレクタに割り当てられているコンポーネント入力端子ＩＮｖｃ１が選択される。ＺＯＮＥ２ルームのセレクタとしてゲームセレクタが選択されると、ＺＯＮＥ２ディスプレイ３００Ｂへの映像出力経路として、ゲームセレクタに割り当てられているコンポーネント入力端子ＩＮｖｃ３が選択される。なお、セレクタの割当ては、ユーザ操作によって任意に変更および設定可能である。
【００２９】
図１に戻って、ＵＳＢホストコントローラ６は、ＵＳＢ経由でポータブルプレーヤ１００Ｄから音声データを取得し、ＤＡコンバータ７に供給する。ＤＡコンバータ７は、ＵＳＢホストコントローラ６からの音声データをアナログ信号に変換し、音声切換部２、４に供給する。
【００３０】
音声切換部２は、メインスピーカー２００Ａ用の音声切換部である。音声切換部２は、音声入力端子ＩＮａ１〜ＩＮａ３に入力された音声信号、および、ＤＡコンバータ７から供給される音声信号の中から、ユーザ操作に応じて選択されたメインセレクタに割り当てられている音声入力端子からの音声信号を選択し、増幅部３に供給する。増幅部３は、音声切換部２から供給された音声信号を増幅し、スピーカー出力端子ＯＵＴａ１からメインスピーカー２００Ａに音声信号を出力する。
【００３１】
音声切換部４は、ＺＯＮＥ２スピーカー２００Ｂ用の音声切換部である。音声切換部４は、音声入力端子ＩＮａ１〜ＩＮａ３に入力された音声信号、および、ＤＡコンバータ７から供給される音声信号の中から、ユーザ操作に応じて選択されたＺＯＮＥ２セレクタに割り当てられている音声入力端子からの音声信号を選択し、増幅部５に供給する。増幅部５は、音声切換部４から供給された音声信号を増幅し、スピーカー出力端子ＯＵＴａ２からＺＯＮＥ２スピーカー２００Ｂに音声信号を出力する。
【００３２】
Ｓビデオ切換部８は、メインディスプレイ３００Ａに映像信号を出力する場合、Ｓビデオ入力端子ＩＮｖｓ１〜ＩＮｖｓ３に入力された映像信号の中から、ユーザ操作に応じて選択されたメインセレクタに割り当てられているＳビデオ入力端子からの映像信号を選択し、スイッチ１０ａに供給する。Ｓビデオ切換部８は、ＺＯＮＥ２ディスプレイ３００Ｂに映像信号を出力する場合（すなわち、後述するように、ＺＯＮＥ２がＳビデオ連動に設定されている場合）、Ｓビデオ入力端子ＩＮｖｓ１〜ＩＮｖｓ３に入力された映像信号の中から、ユーザ操作に応じて選択されたＺＯＮＥ２セレクタに割り当てられているＳビデオ入力端子からの映像信号を選択し、スイッチ１０ａに供給する。
【００３３】
スイッチ１０ａは、Ｓビデオ切換部８から出力される映像信号を、スイッチ１０ｂに直接供給するか、又は、ＡＤコンバータ９を介してＶＳＰ１４に供給するかを切り換える。スイッチ１０ｂは、スイッチ１０ａからの映像信号をＳビデオ出力端子ＯＵＴｖｓに供給するか、又は、ＶＳＰ１４からの映像信号を、ＤＡコンバータ１１を介して受信して、Ｓビデオ出力端子ＯＵＴｖｓに供給するかを切り換える。スイッチ１０ａ、１０ｂは、制御部２２の指示によって切換えられる。
【００３４】
ＨＤＭＩ切換部１２は、メインディスプレイ３００Ａに映像信号を出力する場合、ＨＤＭＩ入力端子ＩＮｖｈ１〜ＩＮｖｈ３に入力された映像信号の中から、ユーザ操作に応じて選択されたメインセレクタに割り当てられているＨＤＭＩ入力端子からの映像信号を選択し、スイッチ１３に供給する。
【００３５】
スイッチ１３は、ＨＤＭＩ切換部１２から出力される映像信号を、スイッチ１５に供給するか、又は、ＶＳＰ１４に供給するかを切り換える。スイッチ１５は、スイッチ１３からの映像信号をＴＸ１６に供給するか、又は、ＶＳＰ１４からの映像信号をＴＸ１６に供給するかを切り換える。
【００３６】
ＴＸ１６は、スイッチ１５からの映像信号をＨＤＭＩデータに変換し、ＨＤＭＩ出力端子ＯＵＴｖｈから出力する。
【００３７】
コンポーネント切換部１７は、メインディスプレイ３００Ａに映像信号を出力する場合、コンポーネント入力端子ＩＮｖｃ１〜ＩＮｖｃ３に入力された映像信号の中から、ユーザ操作に応じて選択されたメインセレクタに割り当てられているコンポーネント入力端子からの映像信号を選択し、スイッチ１９に供給する。コンポーネント切換部１７は、ＺＯＮＥ２ディスプレイ３００Ｂに映像信号を出力する場合（すなわち、後述するように、ＺＯＮＥ２がコンポーネント連動に設定されている場合）、コンポーネント入力端子ＩＮｖｃ１〜ＩＮｖｃ３に入力された映像信号の中から、ユーザ操作に応じて選択されたＺＯＮＥ２セレクタに割り当てられているコンポーネント入力端子からの映像信号を選択し、スイッチ１９に供給する。
【００３８】
スイッチ１９は、コンポーネント切換部７から出力される映像信号を、スイッチ２０に供給するか、又は、ＡＤコンバータ１８を介してＶＳＰ１４に供給するかを切り換える。スイッチ２０は、スイッチ１９からの映像信号をコンポーネント出力端子ＯＵＴｖｃに供給するか、又は、ＶＳＰ１４からの映像信号を、ＤＡコンバータ２１を介して受信して、コンポーネント出力端子ＯＵＴｖｃに供給するかを切り換える。
【００３９】
ＶＳＰ１４は、スイッチ１０ａ、１３、１９から供給される映像信号の中から１つの映像信号を選択し、選択した映像信号に対して映像処理を実行する。映像処理は、例えば、映像信号のアップコンバート、解像度やアスペクト比、映像設定値（明るさ、色合い）等の調整等の処理を意味する。また、ＶＳＰ１４は、設定画面であるＯＳＤ画面や、コンテンツリスト等を生成する。ＶＳＰ１４は、映像信号をスイッチ１０ｂ、１５、２０のいずれかに出力する。
【００４０】
制御部２２は、メモリ（ＲＯＭ）２３に格納されているＡＶアンプ１の動作プログラムに基づいて、ＡＶアンプ１の各部を制御するものであり、マイコンやＣＰＵ等である。表示部２４は、ＡＶアンプ１の設定画面、選択されているセレクタ、音量などを表示するものであり、ＬＣＤ（液晶ディスプレイ）やＦＬ管等である。操作部２５は、ユーザ操作を受け付けるものであり、ＡＶアンプ１の筐体に設けられた操作ボタンやリモコン送受信機等である。
【００４１】
メインディスプレイ３００Ａ用の映像出力経路である符号８〜２１の構成を、ＺＯＮＥ２ディスプレイ３００Ｂ用の映像出力経路として兼用するために、メモリ（フラッシュメモリ）２３内において、図６に示すＳビデオ連動設定、及び、図７に示すコンポーネント連動設定が設けられている。
【００４２】
Ｓビデオ連動設定は、Ｓビデオ信号をＺＯＮＥ２セレクタまたはＺＯＮＥ３セレクタに関連付けるか否かをユーザ操作に応じて設定するものである。Ｓビデオ連動設定は、例えば、「ＯＦＦ」、「ＺＯＮＥ２」、「ＺＯＮＥ３」のいずれかに設定可能である。Ｓビデオ連動設定が「ＺＯＮＥ２」に設定されている場合、ＺＯＮＥ２用のセレクタとして選択されたセレクタに割り当てられているＳビデオ入力端子ＩＮｖｓからの映像信号が、Ｓビデオ出力端子ＯＵＴｖｓから出力されるように、各スイッチが切り換えられる。従って、Ｓビデオ出力端子ＯＵＴｖｓにＺＯＮＥ２ディスプレイ３００Ｂを接続することにより、ユーザ操作によってＺＯＮＥ２セレクタが選択されると、Ｓビデオ入力端子からの映像信号をＺＯＮＥ２ディスプレイ３００Ｂに供給することができる。
【００４３】
例えば、Ｓビデオ連動設定が「ＺＯＮＥ２」に設定されており、かつ、ＺＯＮＥセレクタとしてゲームセレクタが選択された場合、ゲームセレクタに割り当てられているＳビデオ入力端子ＩＮｖｓ３からの映像信号がＳビデオ出力端子ＯＵＴｖｓから出力される。Ｓビデオ出力端子ＯＵＴｖｓにＺＯＮＥ２ディスプレイ３００Ｂが接続されていると、ユーザがＺＯＮＥ２セレクタとしてゲームセレクタを選択するだけで、ゲーム機１００Ｃからの映像信号がＡＶアンプ１を介してＺＯＮＥ２ディスプレイ３００Ｂに供給される。
【００４４】
コンポーネント連動設定は、コンポーネント信号をＺＯＮＥ２セレクタまたはＺＯＮＥ３セレクタに関連付けるか否かをユーザ操作に応じて設定するものである。コンポーネント連動設定は、例えば、「ＯＦＦ」、「ＺＯＮＥ２」、「ＺＯＮＥ３」のいずれかに設定可能である。コンポーネント連動設定が「ＺＯＮＥ２」に設定されている場合、ＺＯＮＥ２用のセレクタとして選択されたセレクタに割り当てられているコンポーネント入力端子ＩＮｖｃからの映像信号が、コンポーネント出力端子ＯＵＴｖｃから出力されるように、各スイッチが切り換えられる。従って、コンポーネント出力端子ＯＵＴｖｃにＺＯＮＥ２ディスプレイ３００Ｂを接続することにより、ユーザ操作によってＺＯＮＥ２セレクタが選択されると、コンポーネント入力端子からの映像信号をＺＯＮＥ２ディスプレイ３００Ｂに供給することができる。
【００４５】
例えば、コンポーネント連動設定が「ＺＯＮＥ２」に設定されており、かつ、ＺＯＮＥ２セレクタとしてゲームセレクタが選択された場合、ゲームセレクタに割り当てられているコンポーネント入力端子ＩＮｖｃ３からの映像信号がコンポーネント出力端子ＯＵＴｖｃから出力される。コンポーネント出力端子ＯＵＴｖｃにＺＯＮＥ２ディスプレイ３００Ｂが接続されていると、ユーザがＺＯＮＥ２セレクタとしてゲームセレクタを選択するだけで、ゲーム機１００Ｃからの映像信号がＡＶアンプ１を介してＺＯＮＥ２ディスプレイ３００Ｂに供給される。
【００４６】
なお、Ｓビデオ連動設定が「ＺＯＮＥ３」に設定されている場合、及び、コンポーネント連動設定が「ＺＯＮＥ３」に設定されている場合も、上記と同様である。
【００４７】
以上の構成を有するＡＶアンプ１についてその動作を説明する。図８は、制御部２２の処理を示すフローチャートである。ここでは、ＺＯＮＥ２セレクタとしてゲームセレクタが選択される場合を例に説明するが、他のセレクタが選択される場合についても同様である。制御部２２は、ＺＯＮＥ２セレクタとして、ゲームセレクタが選択されたか否かを判断する（Ｓ１）。
【００４８】
ＺＯＮＥ２セレクタとしてゲームセレクタが選択された場合（Ｓ１でＹＥＳ）、制御部２２は、音声切換部４に、ゲームセレクタに割り当てられている音声入力端子を選択させる（Ｓ２）。本実施形態では、音声入力端子ＩＮａ３がゲームセレクタに割り当てられている。従って、音声入力端子ＩＮａ３が音声切換部４によって選択される。従って、ゲーム機１００Ｃから音声信号が、音声切換部４、増幅部５、スピーカー出力端子ＯＵＴａ２を介して、ＺＯＮＥ２スピーカー２００Ｂに供給される。
【００４９】
続いて、制御部２２は、Ｓビデオ連動設定がＺＯＮＥ２に設定されているか否かを判断する（Ｓ３）。Ｓビデオ連動設定がＺＯＮＥ２に設定されていない場合（Ｓ３でＮＯ）、処理はＳ５に進む。一方、Ｓビデオ連動設定がＺＯＮＥ２に設定されている場合（Ｓ３でＹＥＳ）、制御部２２は、Ｓビデオ切換部８に、ゲームセレクタに割り当てられているＳビデオ入力端子を選択させる（Ｓ４）。本実施形態では、Ｓビデオ入力端子ＩＮｖｓ３がゲームセレクタに割り当てられている。従って、Ｓビデオ入力端子ＩＮｖｓ３がＳビデオ切換部８によって選択される。さらに、制御部２２は、スイッチ１０ａにＳビデオ切換部８の出力とスイッチ１０ｂとを接続させ、スイッチ１０ｂにスイッチ１０ａとＳビデオ出力端子ＯＵＴｖｓとを接続させる。従って、ゲーム機１００Ｃから映像信号が、Ｓビデオ切換部８、スイッチ１０ａ、１０ｂを介して、Ｓビデオ出力端子ＯＵＴｖｓから出力される。Ｓビデオ出力端子ＯＵＴｖｓにＺＯＮＥ２ディスプレイ３００Ｂを接続させることで、ゲーム機１００Ｃからの映像信号をＺＯＮＥ２ディスプレイ３００で表示することができる。
【００５０】
続いて、制御部２２は、コンポーネント連動設定がＺＯＮＥ２に設定されているか否かを判断する（Ｓ５）。コンポーネント連動設定がＺＯＮＥ２に設定されていない場合（Ｓ５でＮＯ）、処理を終了する。一方、コンポーネント連動設定がＺＯＮＥ２に設定されている場合（Ｓ５でＹＥＳ）、制御部２２は、コンポーネント切換部１７に、ゲームセレクタに割り当てられているコンポーネント入力端子を選択させる（Ｓ６）。本実施形態では、コンポーネント入力端子ＩＮｖｃ３がゲームセレクタに割り当てられている。従って、コンポーネント入力端子ＩＮｖｃ３がコンポーネント切換部１７によって選択される。さらに、制御部２２は、スイッチ１９にコンポーネント切換部１７の出力とスイッチ２０とを接続させ、スイッチ２０にスイッチ１９とコンポーネント出力端子ＯＵＴｖｃとを接続させる。従って、ゲーム機１００Ｃから映像信号が、コンポーネント切換部１７、スイッチ１９、２０を介して、コンポーネント出力端子ＯＵＴｖｃから出力される。コンポーネント出力端子ＯＵＴｖｃにＺＯＮＥ２ディスプレイ３００Ｂを接続させることで、ゲーム機１００Ｃからの映像信号をＺＯＮＥ２ディスプレイ３００で表示することができる。
【００５１】
以上の処理によって、本実施形態によるとメイン用の映像出力経路をＺＯＮＥ２用の映像出力経路に兼用することができ、かつ、ユーザ操作によってＺＯＮＥ２セレクタを選択するだけで、ＺＯＮＥ２ディスプレイ３００Ｂが接続されている映像出力端子に映像信号を供給することが可能となる。
【００５２】
［実施形態２］
次に本発明の別の好ましい実施形態を説明する。本実施形態では、ＺＯＮＥ２ディスプレイ３００ＢにＺＯＮＥ２用のＯＳＤ（オンスクリーンディスプレイ）画面を表示する場合の処理に関する。なお、上記の実施形態の内容は本実施形態に適宜援用され得る。ＯＳＤ画面は、ＺＯＮＥ２出力に関する各種設定を実行するためのメニュー画面である。ＯＳＤ画面は、ＶＳＰ１４によって生成される。本実施形態では、ＺＯＮＥ２のＯＳＤ画面を生成するＶＳＰを、メイン用のＯＳＤ画面を生成するＶＳＰ１４と兼用することによってハードウェア構成を簡単化及びコストを削減することができる。
【００５３】
図９は、本実施形態における制御部２２の処理を示すフローチャートである。まず、コンポーネント連動設定がＺＯＮＥ２に設定され、かつ、ＺＯＮＥ２セレクタがゲームセレクタを選択している状態である場合を想定する（Ｓ１１）。なお、これ以外の設定の場合の処理は、本フローチャートの説明を援用する。制御部２２は、ＺＯＮＥ２のＯＳＤ画面を表示する指示がユーザ操作によって入力されたか否かを判断する（Ｓ１２）。
【００５４】
入力された場合（Ｓ１２でＹＥＳ）、制御部２２は、メインディスプレイ３００Ａに出力する映像信号がＶＳＰ１４を経由しているか否かを判断する（Ｓ１３）。つまり、メインディスプレイ３００Ａに出力する映像信号がＶＳＰ１４において映像処理されているか、又は、メイン用のＯＳＤ画面が生成されているかが判断される。メインディスプレイ３００Ａに出力する映像信号がＶＳＰ１４を経由している場合（Ｓ１３でＹＥＳ）、処理を終了する。一方、メインディスプレイ３００Ａに出力する映像信号がＶＳＰ１４を経由していない場合（Ｓ１３でＮＯ）、制御部２２は、ＺＯＮＥ２が連動設定されている映像入力端子のセレクタの出力をＶＳＰ経由で、映像出力端子から出力するように各スイッチを切り換える。つまり、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力するように、スイッチ１９、２０を切り換える（Ｓ１４）。詳細には、制御部２２は、スイッチ１９にコンポーネント切換部１７の出力とＡＤコンバータ１８とを接続させ、スイッチ２０にＤＡコンバータ２１とコンポーネント出力端子ＯＵＴｖｃとを接続させる。
【００５５】
制御部２２は、ＶＳＰ１４にＺＯＮＥ２用のＯＳＤ画面を生成させる（Ｓ１５）。そして、制御部２２は、コンポーネント切換部１７から供給される映像信号に、生成したＯＳＤ画面を重畳させ、映像信号をＤＡコンバータ２１でアナログ信号に変換し、スイッチ２０を介して、コンポーネント出力端子ＯＵＴｖｃから出力する。従って、ＺＯＮＥ２用ディスプレイ３００Ｂに、ＺＯＮＥ２用のＯＳＤ画面を表示することができる。なお、ＯＳＤ画面をコンポーネント切換部１７から供給される映像信号に重畳させるのではなく、コンポーネント切換部１７から供給される映像信号を出力せずに、ＯＳＤ画面のみを出力するようにしてもよい。
【００５６】
続いて、制御部２２は、ユーザ操作によって、ＺＯＮＥ２のＯＳＤ画面を消去する指示が入力されたか否かを判断する（Ｓ１６）。入力された場合（Ｓ１６でＹＥＳ）、制御部２２は、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力しないように、スイッチ１９、２０を切り換える（Ｓ１７）。詳細には、制御部２２は、スイッチ１９にコンポーネント切換部１７の出力とスイッチ２０とを接続させ、スイッチ２０にスイッチ１９とコンポーネント出力端子ＯＵＴｖｃとを接続させる。
【００５７】
以上の処理によって、メイン用のＶＳＰ１４を使用して、ＺＯＮＥ２ディスプレイ３０ＢにＺＯＮＥ２用のＯＳＤ画面を表示させることができる。
【００５８】
［実施形態３］
次に本発明のさらに別の好ましい実施形態を説明する。本実施形態では、ＺＯＮＥ２ディスプレイ３００Ｂに表示する映像信号にＶＳＰ１４において映像処理を実行する処理に関する。なお、上記の各実施形態の内容は本実施形態に適宜援用され得る。本実施形態では、ＺＯＮＥ２ディスプレイ３００Ｂに出力する映像信号に映像処理を実行するＶＳＰを、メイン用のＶＳＰ１４と兼用することによってハードウェア構成を簡単化及びコストを削減することができる。
【００５９】
図１０は、本実施形態における制御部２２の処理を示すフローチャートである。まず、コンポーネント連動設定がＺＯＮＥ２に設定され、かつ、ＺＯＮＥ２セレクタがゲームセレクタを選択している状態である場合を想定する（Ｓ２１）。なお、これ以外の設定の場合の処理は、本フローチャートの説明を援用する。制御部２２は、ＺＯＮＥ２の映像信号に映像処理を実行して、ＺＯＮＥ２ディスプレイ３００Ｂに出力する指示がユーザ操作によって入力されたか否かを判断する（Ｓ２２）。
【００６０】
入力された場合（Ｓ２２でＹＥＳ）、制御部２２は、メインディスプレイ３００Ａに出力する映像信号がＶＳＰ１４を経由しているか否かを判断する（Ｓ２３）。つまり、メインディスプレイ３００Ａに出力する映像信号がＶＳＰ１４において映像処理されているか、又は、メイン用のＯＳＤ画面が生成されているかが判断される。メインディスプレイ３００Ａに出力する映像信号がＶＳＰ１４を経由している場合（Ｓ２３でＹＥＳ）、処理を終了する。一方、メインディスプレイ３００Ａに出力する映像信号がＶＳＰ１４を経由していない場合（Ｓ２３でＮＯ）、制御部２２は、ＺＯＮＥ２が連動設定されている映像入力端子のセレクタの出力をＶＳＰ経由で、映像出力端子から出力するように各スイッチを切り換える。つまり、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力するように、スイッチ１９、２０を切り換える（Ｓ２４）。詳細には、制御部２２は、スイッチ１９にコンポーネント切換部１７の出力とＡＤコンバータ１８とを接続させ、スイッチ２０にＤＡコンバータ２１とコンポーネント出力端子ＯＵＴｖｃとを接続させる。
【００６１】
制御部２２は、ＶＳＰ１４に、コンポーネント切換部１７から供給される映像信号に映像処理を実行して出力するように指示する（Ｓ２５）。その結果、ＶＳＰ１４は、コンポーネント切換部１７から供給される映像信号に、映像処理を実行し、ＤＡコンバータ２１に出力する。ＤＡコンバータ２１は映像信号をアナログ信号に変換し、スイッチ２０を介して、コンポーネント出力端子ＯＵＴｖｃから出力する。従って、ＺＯＮＥ２用ディスプレイ３００Ｂに表示する映像信号にＶＳＰ１４において映像処理を実行することができる。
【００６２】
［実施形態４］
本実施形態は実施形態２の変形例である。ＺＯＮＥ２のＯＳＤ画面を生成するＶＳＰをメイン用のＶＳＰ１４と兼用しているので、メインディスプレイ３００Ａに出力する映像信号に対して、ＶＳＰ１４で映像処理を実行している場合やメイン用のＯＳＤ画面を生成しているときには、ＶＳＰ１４でＺＯＮＥ２用のＯＳＤ画面を生成することができない。そこで、本実施形態では、ユーザ操作によって、「メインディスプレイ３００Ａ（および／または、他のＺＯＮＥ（例えばＺＯＮＥ３）ディスプレイ）に出力する映像信号に対してＶＳＰ１４を使用している（つまり、メイン用の映像信号がＶＳＰ１４を経由している）場合に、メインディスプレイ３００Ａに出力する映像信号に対してＶＳＰ１４を使用しないようにし（つまり、メイン用の映像信号がＶＳＰ１４を経由しないようにし）、ＺＯＮＥ２用のＯＳＤ画面をＶＳＰ１４に生成させるか否か」を予め設定しておくことができる。この設定をＶＳＰ使用許可設定という。
【００６３】
図１１は、本実施形態における制御部２２の処理を示すフローチャートである。まず、コンポーネント連動設定がＺＯＮＥ２に設定され、かつ、ＺＯＮＥ２セレクタがゲームセレクタを選択している状態である場合を想定する（Ｓ３１）。なお、これ以外の設定の場合の処理は、本フローチャートの説明を援用する。制御部２２は、ＺＯＮＥ２のＯＳＤ画面を表示する指示がユーザ操作によって入力されたか否かを判断する（Ｓ３２）。
【００６４】
入力された場合（Ｓ３２でＹＥＳ）、制御部２２は、メインディスプレイ３００Ａに出力する映像信号がＶＳＰ１４を経由しているか否かを判断する（Ｓ３３）。つまり、メインディスプレイ３００Ａに出力する映像信号に対してＶＳＰ１４で映像処理を実行している、又は、メイン用のＯＳＤ画面を生成しているか否かが判断される。メインディスプレイ３００Ａに出力する映像信号がＶＳＰ１４を経由していない場合（Ｓ３３でＮＯ）、処理はＳ３６へと進む。
【００６５】
一方、メインディスプレイ３００Ａに出力する映像信号がＶＳＰ１４を経由している場合（Ｓ３３でＹＥＳ）、制御部２２は、ＶＳＰ使用許可設定が使用許可に設定されているか否かを判断する（Ｓ３４）。使用不許可に設定されている場合（Ｓ３４でＮＯ）、ＺＯＮＥ２用のＯＳＤ画面を生成および表示することなく、処理を終了する。
【００６６】
使用許可に設定されている場合（Ｓ３４でＹＥＳ）、制御部２２は、メインディスプレイ３００Ａに出力する映像信号を、ＶＳＰ１４を経由しないように各スイッチを切り換える（Ｓ３５）。詳細には、例えば、メインディスプレイ３００Ａに出力する映像信号がＨＤＭＩ入力端子ＩＮｖｈ１から入力され、ＨＤＭＩ出力端子ＯＵＴｖｈから出力されている場合、最初はスイッチ１３がＨＤＭＩ切換部１２とＶＳＰ１４とを接続し、スイッチ１５がＶＳＰ１４とＴＸ１６とを接続させているが、スイッチ１３にＨＤＭＩ切換部１２とスイッチ１５とを接続させ、スイッチ１５にスイッチ１３とＴＸ１６とを接続させる。
【００６７】
制御部２２は、ＺＯＮＥ２が連動設定されている映像入力端子のセレクタの出力をＶＳＰ経由で、映像出力端子から出力するように各スイッチを切り換える。つまり、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力するように、スイッチ１９、２０を切り換える（Ｓ３６）。詳細には、制御部２２は、スイッチ１９にコンポーネント切換部１７の出力とＡＤコンバータ１８とを接続させ、スイッチ２０にＤＡコンバータ２１とコンポーネント出力端子ＯＵＴｖｃとを接続させる。
【００６８】
制御部２２は、ＶＳＰ１４にＺＯＮＥ２用のＯＳＤ画面を生成させる（Ｓ３７）。そして、制御部２２は、コンポーネント切換部１７から供給される映像信号に、生成したＯＳＤ画面を重畳させ、映像信号をＤＡコンバータ２１でアナログ信号に変換し、スイッチ２０を介して、コンポーネント出力端子ＯＵＴｖｃから出力する。従って、ＺＯＮＥ２用ディスプレイ３００Ｂに、ＺＯＮＥ２用のＯＳＤ画面を表示することができる。
【００６９】
続いて、制御部２２は、ユーザ操作によって、ＺＯＮＥ２のＯＳＤ画面を消去する指示が入力されたか否かを判断する（Ｓ３８）。入力された場合（Ｓ３８でＹＥＳ）、制御部２２は、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力しないように、スイッチ１９、２０を切り換える（Ｓ３９）。詳細には、制御部２２は、スイッチ１９にコンポーネント切換部１７の出力とスイッチ２０とを接続させ、スイッチ２０にスイッチ１９とコンポーネント出力端子ＯＵＴｖｃとを接続させる。
【００７０】
制御部２２は、ＺＯＮＥ２用のＯＳＤ画面表示する前に、メインディスプレイ３００Ａに出力する映像信号がＶＳＰ１４を経由していたか否かを判断する（Ｓ４０）。この情報は、Ｓ３３での判断結果をメモリに記憶しておくことで判断することができる。つまり、メインディスプレイ３００Ａに出力する映像信号に対してＶＳＰ１４で映像処理を実行している、又は、メイン用のＯＳＤ画面を生成していたか否かが判断される。メインディスプレイ３００Ａに出力する映像信号がＶＳＰ１４を経由していなかった場合（Ｓ４０でＮＯ）、処理を終了する。
【００７１】
一方、メインディスプレイ３００Ａに出力する映像信号がＶＳＰ１４を経由していた場合（Ｓ４０でＹＥＳ）、制御部２２は、メインディスプレイ３００Ａに出力する映像信号がＶＳＰ１４を経由するように各スイッチの接続状態を元に戻す（Ｓ４１）。詳細には、制御部２２は、スイッチ１３にＨＤＭＩ切換部１２とＶＳＰ１４とを接続させ、スイッチ１５にＶＳＰ１４とＴＸ１６とを接続させる。そして、制御部２２は、ＶＳＰ１４に、実行していた映像処理またＯＳＤ画面生成を再度実行させる。
【００７２】
以上の処理によって、使用許可設定に基づいて、使用許可に設定されている場合のみ、メイン用のＶＳＰ１４を使用して、ＺＯＮＥ２ディスプレイ３０ＢにＺＯＮＥ２用のＯＳＤ画面を表示させることができる。
【００７３】
［実施形態５］
本実施形態は実施形態４の変形例である。本実施形態では、ＶＳＰ使用許可設定の代わりに、「メインディスプレイ３００Ａに出力する映像信号に対してＶＳＰ１４を使用しないようにし、ＺＯＮＥ２用のＯＳＤ画面をＶＳＰ１４に生成させてもよいか否か」の問合画面をＶＳＰ１４で生成し、メインディスプレイ３００Ａに表示させる。メインディスプレイ３００ＡのユーザによってＶＳＰ使用許可の指示が入力された場合には、ＺＯＮＥ２用のＯＳＤ画面をＶＳＰ１４に生成させるように動作する。
【００７４】
図１２は、本実施形態における制御部２２の処理を示すフローチャートであり、図１１と同じ処理には同一符号を付し、説明を援用する。Ｓ３３でＹＥＳと判断された場合、制御部２２は、ＺＯＮＥ２用のＯＳＤを生成するためにＶＳＰ１４を使用してもよいかの問合せ画面をＶＳＰ１４に生成させ、メインディスプレイ３００Ａに表示させる（Ｓ４３）。なお、これに限定されず、音声にてメインディスプレイ３００Ａのユーザに対する問合せが実行されてもよい。制御部２２は、メインディスプレイ３００Ａのユーザ操作によって、ＶＳＰ１４の使用許可の指示が入力されたか否かを判断する（Ｓ４４）。使用不許可の指示が入力された場合や、所定時間以内に使用許可の指示が入力されない場合には（Ｓ４４でＮＯ）、処理を終了する。一方、使用許可の指示が入力された場合（Ｓ４４でＹＥＳ）、処理はＳ３５に進む。その他の処理は図１１と同様である。
【００７５】
［実施形態６］
本実施形態は実施形態３の変形例である。ＺＯＮＥ２ディスプレイ３００Ｂに出力する映像信号に映像処理を実行するＶＳＰをメイン用のＶＳＰ１４と兼用しているので、メインディスプレイ３００Ａに出力する映像信号に対して、ＶＳＰ１４で映像処理を実行している場合やメイン用のＯＳＤ画面を生成しているときには、ＺＯＮＥ２ディスプレイ３００Ｂに出力する映像信号に映像処理を実行することができない。そこで、本実施形態では、ユーザ操作によって、「メインディスプレイ３００Ａ（および／または、他のＺＯＮＥ（例えばＺＯＮＥ３）ディスプレイ）に出力する映像信号に対してＶＳＰ１４を使用している場合に、メインディスプレイ３００Ａに出力する映像信号に対してＶＳＰ１４を使用しないようにし、ＺＯＮＥ２ディスプレイ３００Ｂに出力する映像信号をＶＳＰ１４において映像処理を実行するか否か」を予め設定しておくことができる。この設定をＶＳＰ使用許可設定という。
【００７６】
図１３は、本実施形態における制御部２２の処理を示すフローチャートである。まず、コンポーネント連動設定がＺＯＮＥ２に設定され、かつ、ＺＯＮＥ２セレクタがゲームセレクタを選択している状態である場合を想定する（Ｓ５１）。なお、これ以外の設定の場合の処理は、本フローチャートの説明を援用する。制御部２２は、ＺＯＮＥ２ディスプレイ３００Ｂに出力する映像信号に映像処理を実行する指示がユーザ操作によって入力されたか否かを判断する（Ｓ５２）。
【００７７】
入力された場合（Ｓ５２でＹＥＳ）、制御部２２は、メインディスプレイ３００Ａに出力する映像信号がＶＳＰ１４を経由しているか否かを判断する（Ｓ５３）。つまり、メインディスプレイ３００Ａに出力する映像信号に対してＶＳＰ１４で映像処理を実行している、又は、メイン用のＯＳＤ画面を生成しているか否かが判断される。メインディスプレイ３００Ａに出力する映像信号がＶＳＰ１４を経由していない場合（Ｓ５３でＮＯ）、処理はＳ５６へと進む。
【００７８】
一方、メインディスプレイ３００Ａに出力する映像信号がＶＳＰ１４を経由している場合（Ｓ５３でＹＥＳ）、制御部２２は、ＶＳＰ使用許可設定が使用許可に設定されているか否かを判断する（Ｓ５４）。使用不許可に設定されている場合（Ｓ５４でＮＯ）、ＺＯＮＥ２ディスプレイ３００Ｂに出力する映像信号にＶＳＰ１４において映像処理を実行することなく、処理を終了する。
【００７９】
使用許可に設定されている場合（Ｓ５４でＹＥＳ）、制御部２２は、メインディスプレイ３００Ａに出力する映像信号を、ＶＳＰ１４を経由しないように各スイッチを切り換える（Ｓ５５）。詳細には、例えば、メインディスプレイ３００Ａに出力する映像信号がＨＤＭＩ入力端子ＩＮｖｈ１から入力され、ＨＤＭＩ出力端子ＯＵＴｖｈから出力されている場合、最初はスイッチ１３がＨＤＭＩ切換部１２とＶＳＰ１４とを接続し、スイッチ１５がＶＳＰ１４とＴＸ１６とを接続させているが、スイッチ１３にＨＤＭＩ切換部１２とスイッチ１５とを接続させ、スイッチ１５にスイッチ１３とＴＸ１６とを接続させる。
【００８０】
制御部２２は、ＺＯＮＥ２が連動設定されている映像入力端子のセレクタの出力をＶＳＰ経由で、映像出力端子から出力するように各スイッチを切り換える。つまり、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力するように、スイッチ１９、２０を切り換える（Ｓ５６）。詳細には、制御部２２は、スイッチ１９にコンポーネント切換部１７の出力とＡＤコンバータ１８とを接続させ、スイッチ２０にＤＡコンバータ２１とコンポーネント出力端子ＯＵＴｖｃとを接続させる。
【００８１】
制御部２２は、ＶＳＰ１４に、コンポーネント切換部１７から供給される映像信号に映像処理を実行して出力するように指示する（Ｓ５７）。その結果、ＶＳＰ１４は、コンポーネント切換部１７から供給される映像信号に、映像処理を実行し、ＤＡコンバータ２１に出力する。ＤＡコンバータ２１は映像信号をアナログ信号に変換し、スイッチ２０を介して、コンポーネント出力端子ＯＵＴｖｃから出力する。従って、ＺＯＮＥ２用ディスプレイ３００Ｂに表示する映像信号にＶＳＰ１４において映像処理を実行することができる。
【００８２】
続いて、制御部２２は、ユーザ操作によって、ＺＯＮＥ２ディスプレイ３００Ｂに出力する映像信号に映像処理を実行しない指示が入力されたか否かを判断する（Ｓ５８）。入力された場合（Ｓ５８でＹＥＳ）、制御部２２は、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力しないように、スイッチ１９、２０を切り換える（Ｓ５９）。詳細には、制御部２２は、スイッチ１９にコンポーネント切換部１７の出力とスイッチ２０とを接続させ、スイッチ２０にスイッチ１９とコンポーネント出力端子ＯＵＴｖｃとを接続させる。
【００８３】
制御部２２は、ＺＯＮＥ２用のＯＳＤ画面表示する前に、メインディスプレイ３００Ａに出力する映像信号がＶＳＰ１４を経由していたか否かを判断する（Ｓ６０）。この情報は、Ｓ５３での判断結果をメモリに記憶しておくことで判断することができる。つまり、メインディスプレイ３００Ａに出力する映像信号に対してＶＳＰ１４で映像処理を実行している、又は、メイン用のＯＳＤ画面を生成していたか否かが判断される。メインディスプレイ３００Ａに出力する映像信号がＶＳＰ１４を経由していなかった場合（Ｓ６０でＮＯ）、処理を終了する。
【００８４】
一方、メインディスプレイ３００Ａに出力する映像信号がＶＳＰ１４を経由していた場合（Ｓ６０でＹＥＳ）、制御部２２は、メインディスプレイ３００Ａに出力する映像信号がＶＳＰ１４を経由するように各スイッチの接続状態を元に戻す（Ｓ６１）。詳細には、制御部２２は、スイッチ１３にＨＤＭＩ切換部１２とＶＳＰ１４とを接続させ、スイッチ１５にＶＳＰ１４とＴＸ１６とを接続させる。そして、制御部２２は、ＶＳＰ１４に、実行していた映像処理またＯＳＤ画面生成を再度実行させる。
【００８５】
以上の処理によって、使用許可設定に基づいて、使用許可に設定されている場合のみ、メイン用のＶＳＰ１４を使用して、ＺＯＮＥ２用ディスプレイ３００Ｂに表示する映像信号にＶＳＰ１４において映像処理を実行することができる。
【００８６】
［実施形態７］
本実施形態は実施形態６の変形例である。本実施形態では、ＶＳＰ使用許可設定の代わりに、「メインディスプレイ３００Ａに出力する映像信号に対してＶＳＰ１４を使用しないようにし、ＺＯＮＥ２ディスプレイ３００Ｂに出力する映像信号にＶＳＰ１４で映像処理を実行してもよいか否か」の問合画面をＶＳＰ１４で生成し、メインディスプレイ３００Ａに表示させる。メインディスプレイ３００ＡのユーザによってＶＳＰ使用許可の指示が入力された場合には、ＺＯＮＥ２ディスプレイ３００Ｂに出力する映像信号にＶＳＰ１４で映像処理を実行させるように動作する。
【００８７】
図１４は、本実施形態における制御部２２の処理を示すフローチャートであり、図１３と同じ処理には同一符号を付し、説明を援用する。Ｓ５３でＹＥＳと判断された場合、制御部２２は、ＺＯＮＥ２ディスプレイ３００Ｂに出力する映像信号に映像処理を実行するためにＶＳＰ１４を使用してもよいかの問合せ画面をＶＳＰ１４に生成させ、メインディスプレイ３００Ａに表示させる（Ｓ６２）。なお、これに限定されず、音声にてメインディスプレイ３００Ａのユーザに対する問合せが実行されてもよい。制御部２２は、メインディスプレイ３００Ａのユーザ操作によって、ＶＳＰ１４の使用許可の指示が入力されたか否かを判断する（Ｓ６３）。使用不許可の指示が入力された場合や、所定時間以内に使用許可の指示が入力されない場合には（Ｓ６３でＮＯ）、処理を終了する。一方、使用許可の指示が入力された場合（Ｓ６３でＹＥＳ）、処理はＳ５５に進む。その他の処理は図１３と同様である。
【００８８】
［実施形態８］
ポータブルプレーヤ１００ＤはＵＳＢ経由で音声信号をＵＳＢホストコントローラ６に出力する。また、ポータブルプレーヤ１００ＤはＵＳＢ経由で設定画面やコンテンツリスト等をＵＳＢホストコントローラ６に出力する。ＵＳＢホストコントローラ６は、ポータブルプレーヤ１００Ｄから取得した音声信号をＤＡコンバータを介して音声切換部２、４に供給する。従って、ＢＤプレーヤ１００Ａ、ＤＶＤプレーヤ１００Ｂ等と同様に、ＵＳＢセレクタが選択された場合に、音声切換部２、４がポータブルプレーヤ１００Ｄからの音声信号を選択することができる。一方、設定画面やコンテンツリストは、制御部２２を介してＶＳＰ１４に供給され、ＶＳＰ１４は、供給されたデータに基づいて、メインディスプレイ３００ＡやＺＯＮＥ２ディスプレイ３００Ｂで表示される設定画面やコンテンツリスト画面を生成する。ここで、ＺＯＮＥ２の画面を生成するＶＳＰをメイン用のＶＳＰ１４と兼用しているので、メインディスプレイ３００Ａに出力する映像信号に対して、ＶＳＰ１４で映像処理を実行している場合やメイン用のＯＳＤ画面を生成しているときには、ＶＳＰ１４でＺＯＮＥ２ディスプレイ３００Ｂに表示するポータブルプレーヤ１００Ｄの設定画面やコンテンツリストを生成することができない。コンテンツリストを表示することができないと、ポータブルプレーヤ１００Ｄに再生させるコンテンツをＡＶアンプ１側から選択することができない。そこで、本実施形態では、ユーザ操作によって、「メインディスプレイ３００Ａ（および／または、他のＺＯＮＥ（例えばＺＯＮＥ３）ディスプレイ）に出力する映像信号に対してＶＳＰ１４を使用している場合に、メインディスプレイ３００Ａに出力する映像信号に対してＶＳＰ１４を使用しないようにし、ＶＳＰ１４でＺＯＮＥ２ディスプレイ３００Ｂに表示するポータブルプレーヤ１００Ｄの設定画面やコンテンツリストを生成させるか否か」を予め設定しておくことができる。この設定をＶＳＰ使用許可設定という。
【００８９】
図１５は、本実施形態における制御部２２の処理を示すフローチャートである。まず、コンポーネント連動設定がＺＯＮＥ２に設定され、かつ、ＺＯＮＥ２セレクタがＵＳＢセレクタを選択している状態である場合を想定する（Ｓ７１）。なお、これ以外の設定の場合の処理は、本フローチャートの説明を援用する。制御部２２は、ＺＯＮＥ２ディスプレイ３００Ｂにおいて、ポータブルプレーヤ１００Ｄの設定画面やコンテンツリストを表示する指示がユーザ操作によって入力されたか否かを判断する（Ｓ７２）。
【００９０】
入力された場合（Ｓ７２でＹＥＳ）、制御部２２は、メインディスプレイ３００Ａに出力する映像信号がＶＳＰ１４を経由しているか否かを判断する（Ｓ７３）。つまり、メインディスプレイ３００Ａに出力する映像信号に対してＶＳＰ１４で映像処理を実行している、又は、メイン用のＯＳＤ画面を生成しているか否かが判断される。メインディスプレイ３００Ａに出力する映像信号がＶＳＰ１４を経由していない場合（Ｓ７３でＮＯ）、処理はＳ７６へと進む。
【００９１】
一方、メインディスプレイ３００Ａに出力する映像信号がＶＳＰ１４を経由している場合（Ｓ７３でＹＥＳ）、制御部２２は、ＶＳＰ使用許可設定が使用許可に設定されているか否かを判断する（Ｓ７４）。使用不許可に設定されている場合（Ｓ７４でＮＯ）、処理を終了する。
【００９２】
使用許可に設定されている場合（Ｓ７４でＹＥＳ）、制御部２２は、メインディスプレイ３００Ａに出力する映像信号を、ＶＳＰ１４を経由しないように各スイッチを切り換える（Ｓ７５）。詳細には、例えば、メインディスプレイ３００Ａに出力する映像信号がＨＤＭＩ入力端子ＩＮｖｈ１から入力され、ＨＤＭＩ出力端子ＯＵＴｖｈから出力されている場合、最初はスイッチ１３がＨＤＭＩ切換部１２とＶＳＰ１４とを接続し、スイッチ１５がＶＳＰ１４とＴＸ１６とを接続させているが、スイッチ１３にＨＤＭＩ切換部１２とスイッチ１５とを接続させ、スイッチ１５にスイッチ１３とＴＸ１６とを接続させる。
【００９３】
制御部２２は、ＺＯＮＥ２が連動設定されている映像入力端子のセレクタの出力をＶＳＰ経由で、映像出力端子から出力するように各スイッチを切り換える。つまり、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力するように、スイッチ１９、２０を切り換える（Ｓ７６）。詳細には、制御部２２は、スイッチ１９にコンポーネント切換部１７の出力とＡＤコンバータ１８とを接続させ、スイッチ２０にＤＡコンバータ２１とコンポーネント出力端子ＯＵＴｖｃとを接続させる。
【００９４】
制御部２２は、ＶＳＰ１４にＺＯＮＥ２用ディスプレイ３００Ｂに表示させるポータブルプレーヤ１００Ｄの設定画面やコンテンツリスト画面を生成させる（Ｓ７７）。そして、制御部２２は、コンポーネント切換部１７から供給される映像信号に、生成した画面を重畳させ、映像信号をＤＡコンバータ２１でアナログ信号に変換し、スイッチ２０を介して、コンポーネント出力端子ＯＵＴｖｃから出力する。従って、ＺＯＮＥ２用ディスプレイ３００Ｂに、ポータブルプレーヤ１００Ｄの設定画面やコンテンツリスト画面を表示することができる。
【００９５】
続いて、制御部２２は、ユーザ操作によって、ＺＯＮＥ２ディスプレイ３００Ｂにおいてポータブルプレーヤ１００Ｄの設定画面やコンテンツリスト画面を消去する指示が入力されたか否かを判断する（Ｓ７８）。入力された場合（Ｓ７８でＹＥＳ）、制御部２２は、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力しないように、スイッチ１９、２０を切り換える（Ｓ７９）。詳細には、制御部２２は、スイッチ１９にコンポーネント切換部１７の出力とスイッチ２０とを接続させ、スイッチ２０にスイッチ１９とコンポーネント出力端子ＯＵＴｖｃとを接続させる。
【００９６】
制御部２２は、ＺＯＮＥ２用ディスプレイにポータブルプレーヤ１００Ｄの設定画面やコンテンツリスト画面を表示する前に、メインディスプレイ３００Ａに出力する映像信号がＶＳＰ１４を経由していたか否かを判断する（Ｓ８０）。この情報は、Ｓ７３での判断結果をメモリに記憶しておくことで判断することができる。つまり、メインディスプレイ３００Ａに出力する映像信号に対してＶＳＰ１４で映像処理を実行している、又は、メイン用のＯＳＤ画面を生成していたか否かが判断される。メインディスプレイ３００Ａに出力する映像信号がＶＳＰ１４を経由していなかった場合（Ｓ８０でＮＯ）、処理を終了する。
【００９７】
一方、メインディスプレイ３００Ａに出力する映像信号がＶＳＰ１４を経由していた場合（Ｓ８０でＹＥＳ）、制御部２２は、メインディスプレイ３００Ａに出力する映像信号がＶＳＰ１４を経由するように各スイッチの接続状態を元に戻す（Ｓ８１）。詳細には、制御部２２は、スイッチ１３にＨＤＭＩ切換部１２とＶＳＰ１４とを接続させ、スイッチ１５にＶＳＰ１４とＴＸ１６とを接続させる。そして、制御部２２は、ＶＳＰ１４に、実行していた映像処理またＯＳＤ画面生成を再度実行させる。
【００９８】
以上の処理によって、使用許可設定に基づいて、使用許可に設定されている場合のみ、メイン用のＶＳＰ１４を使用して、ＺＯＮＥ２ディスプレイ３０Ｂにポータブルプレーヤ１００Ｄの設定画面やコンテンツリスト画面を表示させることができる。
【００９９】
［実施形態９］
本実施形態は実施形態８の変形例である。本実施形態では、ＶＳＰ使用許可設定の代わりに、「メインディスプレイ３００Ａに出力する映像信号に対してＶＳＰ１４を使用しないようにし、ＺＯＮＥ２ディスプレイ３０Ｂにポータブルプレーヤ１００Ｄの設定画面やコンテンツリスト画面を表示させてもよいか否か」の問合画面をＶＳＰ１４で生成し、メインディスプレイ３００Ａに表示させる。メインディスプレイ３００ＡのユーザによってＶＳＰ使用許可の指示が入力された場合には、ＺＯＮＥ２用ディスプレイ３００ＢにＺＯＮＥ２ディスプレイ３０Ｂにポータブルプレーヤ１００Ｄの設定画面やコンテンツリスト画面を表示させるように動作する。
【０１００】
図１６は、本実施形態における制御部２２の処理を示すフローチャートであり、図１５と同じ処理には同一符号を付し、説明を援用する。Ｓ７３でＹＥＳと判断された場合、制御部２２は、ＺＯＮＥ２用ディスプレイ３００Ｂにポータブルプレーヤ１００Ｄの設定画面やコンテンツリスト画面を表示するためにＶＳＰ１４を使用してもよいかの問合せ画面をＶＳＰ１４に生成させ、メインディスプレイ３００Ａに表示させる（Ｓ８２）。制御部２２は、メインディスプレイ３００Ａのユーザ操作によって、ＶＳＰ１４の使用許可の指示が入力されたか否かを判断する（Ｓ８３）。使用不可かの指示が入力された場合や、所定時間以内に使用許可の指示が入力されない場合には（Ｓ８３でＮＯ）、処理を終了する。一方、使用許可の指示が入力された場合（Ｓ８３でＹＥＳ）、処理はＳ７５に進む。その他の処理は図１５と同様である。
【０１０１】
［実施形態１０］
ＺＯＮＥ２のＯＳＤ画面を生成するＶＳＰをメイン用のＶＳＰ１４と兼用しているので、メインディスプレイ３００Ａに出力する映像信号に対して、ＶＳＰ１４で映像処理を実行している場合、ＶＳＰ１４でＺＯＮＥ２用のＯＳＤ画面を生成することができない。そこで、本実施形態では、ユーザ操作によって、「ＺＯＮＥ２用のＯＳＤ画面をＶＳＰ１４に生成させるか否か」を予め設定しておくことができる。この設定をＶＳＰ使用許可設定という。ＶＳＰ使用許可設定が使用許可に設定されている場合、メインディスプレイ３０Ａに出力する映像信号、および、ＺＯＮＥ２ディスプレイ３０Ｂに出力する映像信号共に、ＶＳＰ１４で映像処理を実行することを禁止する。そして、メイン用およびＺＯＮＥ２用のＯＳＤ画面を表示することのみが可能となる。
【０１０２】
図１７は、本実施形態における制御部２２の処理を示すフローチャートである。まず、コンポーネント連動設定がＺＯＮＥ２に設定され、かつ、ＺＯＮＥ２セレクタがゲームセレクタを選択している状態である場合を想定する（Ｓ９１）。なお、これ以外の設定の場合の処理は、本フローチャートの説明を援用する。
【０１０３】
制御部２２は、ＶＳＰ使用許可設定が使用許可に設定されているか否かを判断する（Ｓ９２）。使用不許可に設定されている場合（Ｓ９２でＮＯ）、ＺＯＮＥ２用のＯＳＤ画面を生成および表示することなく、処理を終了する。
【０１０４】
一方、使用許可に設定されている場合（Ｓ９２でＹＥＳ）、制御部２２は、メインディスプレイ３００Ａに出力する映像信号を、ＶＳＰ１４を経由しないように各スイッチを切り換える（Ｓ９３）。詳細には、例えば、メインディスプレイ３００Ａに出力する映像信号がＨＤＭＩ入力端子ＩＮｖｈ１から入力され、ＨＤＭＩ出力端子ＯＵＴｖｈから出力されている場合、最初はスイッチ１３がＨＤＭＩ切換部１２とＶＳＰ１４とを接続し、スイッチ１５がＶＳＰ１４とＴＸ１６とを接続させているが、スイッチ１３にＨＤＭＩ切換部１２とスイッチ１５とを接続させ、スイッチ１５にスイッチ１３とＴＸ１６とを接続させる。
【０１０５】
制御部２２は、メインディスプレイ３０Ａに出力する映像信号、および、ＺＯＮＥ２ディスプレイ３０Ｂに出力する映像信号共に、ＶＳＰ１４で映像処理を実行することを禁止する（Ｓ９４）。
【０１０６】
制御部２２は、ＺＯＮＥ２のＯＳＤ画面を表示する指示がユーザ操作によって入力されたか否かを判断する（Ｓ９５）。入力されなければ（Ｓ９５でＮＯ）、処理はＳ９８へと進む。入力された場合（Ｓ９５でＹＥＳ）、制御部２２は、ＺＯＮＥ２が連動設定されている映像入力端子のセレクタの出力をＶＳＰ経由で、映像出力端子から出力するように各スイッチを切り換える。つまり、本実施形態ではコンポーネント連動設定がＺＯＮＥ２に設定されているので、コンポーネント切換部１７から出力される映像信号を、ＶＳＰ１４経由でコンポーネント出力端子ＯＵＴｖｃから出力するように、スイッチ１９、２０を切り換える（Ｓ９６）。詳細には、制御部２２は、スイッチ１９にコンポーネント切換部１７の出力とＡＤコンバータ１８とを接続させ、スイッチ２０にＤＡコンバータ２１とコンポーネント出力端子ＯＵＴｖｃとを接続させる。
【０１０７】
制御部２２は、ＶＳＰ１４にＺＯＮＥ２用のＯＳＤ画面を生成させる（Ｓ９７）。そして、制御部２２は、コンポーネント切換部１７から供給される映像信号に、生成したＯＳＤ画面を重畳させ、映像信号をＤＡコンバータ２１でアナログ信号に変換し、スイッチ２０を介して、コンポーネント出力端子ＯＵＴｖｃから出力する。従って、ＺＯＮＥ２用ディスプレイ３００Ｂに、ＺＯＮＥ２用のＯＳＤ画面を表示することができる。
【０１０８】
続いて、制御部２２は、メインのＯＳＤ画面を表示する指示がユーザ操作によって入力されたか否かを判断する（Ｓ９８）。入力されなければ（Ｓ９８でＮＯ）、処理はＳ９５へと戻る。入力された場合（Ｓ９８でＹＥＳ）、制御部２２は、メインディスプレイ３００Ａに出力する映像信号がＶＳＰ１４を経由するように各スイッチの接続状態を切替える（Ｓ９９）。詳細には、制御部２２は、スイッチ１３にＨＤＭＩ切換部１２とＶＳＰ１４とを接続させ、スイッチ１５にＶＳＰ１４とＴＸ１６とを接続させる。
【０１０９】
制御部２２は、ＶＳＰ１４にメイン用のＯＳＤ画面を生成させる（Ｓ１００）。そして、制御部２２は、メインディスプレイ３００Ａに出力する映像信号に、生成したＯＳＤ画面を重畳させてメインディスプレイ３００Ａに出力する。従って、メインディスプレイ３００Ａに、メイン用のＯＳＤ画面を表示することができる。
【０１１０】
なお、ＺＯＮＥ２のＯＳＤ画面、メインのＯＳＤ画面を消去する指示が入力された場合には、ＺＯＮＥ２の映像信号、メインの映像信号がＶＳＰ１４を経由しないようにスイッチが切替えられるとよい。
【０１１１】
以上、本発明の好ましい実施形態を説明したが、本発明はこれらの実施形態には限定されない。例えば、ＵＳＢ端子の代わりにＬＡＮ端子を備え、外部に接続されるサーバからコンテンツを取得する場合にも適用され得る。また、上記のＡＶアンプ１の制御部の処理をコンピュータに実行させるためのプログラムおよびこれを記録した記録媒体という形態で提供されてもよい。
【産業上の利用可能性】
【０１１２】
本発明は、ＡＶアンプに好適に採用され得る。
【符号の説明】
【０１１３】
１              ＡＶアンプ
２              音声切換部
３              増幅部
４              音声切換部
５              増幅部
６              ＵＳＢホストコントローラ
７              ＤＡコンバータ
８              Ｓビデオ切換部
９              ＡＤコンバータ
１０ａ          スイッチ
１０ｂ          スイッチ
１１            ＤＡコンバータ
１２            ＨＤＭＩ切換部
１３            スイッチ
１４            ＶＳＰ（映像処理部）
１５            スイッチ
１６            ＴＸ（ＨＤＭＩ送信部）
１７            コンポーネントセレクタ
１８            ＡＤコンバータ
１９            スイッチ
２０            スイッチ
２１            ＤＡコンバータ
２２            制御部
２３            メモリ
２４            表示部
２５            操作部
１００Ａ        ＢＤプレーヤ
１００Ｂ        ＤＶＤプレーヤ
１００Ｃ        ゲーム機
１００Ｄ        ポータブルプレーヤ
２００Ａ        メインスピーカー
２００Ｂ        ＺＯＮＥ２スピーカー
３００Ａ        メインディスプレイ
３００Ｂ        ＺＯＮＥ２ディスプレイ
ＩＮａ１        音声入力端子
ＩＮａ２        音声入力端子
ＩＮａ３        音声入力端子
ＩＮｕｓｂ      ＵＳＢ端子
ＩＮｖｓ１      Ｓビデオ入力端子
ＩＮｖｓ２      Ｓビデオ入力端子
ＩＮｖｓ３      Ｓビデオ入力端子
ＩＮｖｈ１      ＨＤＭＩ入力端子
ＩＮｖｈ２      ＨＤＭＩ入力端子
ＩＮｖｈ２      ＨＤＭＩ入力端子
ＩＮｖｃ１      コンポーネント入力端子
ＩＮｖｃ２      コンポーネント入力端子
ＩＮｖｃ３      コンポーネント入力端子
ＯＵＴａ１      メインルーム用スピーカー出力端子
ＯＵＴａ２      ＺＯＮＥ２ルーム用スピーカー出力端子
ＯＵＴｖｓ    Ｓビデオ出力端子
ＯＵＴｖｈ    ＨＤＭＩ出力端子
ＯＵＴｖｃ    コンポーネント出力端子
【図１】
2013017133.tif 000003
【図２】
2013017133.tif 000004
【図３】
2013017133.tif 000005
【図４】
2013017133.tif 000006
【図５】
2013017133.tif 000007
【図６】
2013017133.tif 000008
【図７】
2013017133.tif 000009
【図８】
2013017133.tif 000010
【図９】
2013017133.tif 000011
【図１０】
2013017133.tif 000012
【図１１】
2013017133.tif 000013
【図１２】
2013017133.tif 000014
【図１３】
2013017133.tif 000015
【図１４】
2013017133.tif 000016
【図１５】
2013017133.tif 000017
【図１６】
2013017133.tif 000018
【図１７】
2013017133.tif 000019